(57)【要約】【課題】  大掛かりな設備を必要とせずに、簡単な方法によって高品質の水中基礎を構築することができる工法を提供することである。【解決手段】  水中基礎の構築方法は、基礎杭１０を貫通させる貫通孔２を底面に備えたケーソン１を水底地盤９に沈設し、前記貫通孔２から基礎杭１０を打設し、その杭頭部１１に浮き上がり防止用の掛止体１２を設けてケーソン１を固定した後、該ケーソン１内の水を排水して、その中にコンクリート１５を打設することである。【選択図】図１
2005330718.tif 000002
【特許請求の範囲】
【請求項１】
基礎杭を貫通させる貫通孔を底面に備えたケーソンを水底地盤に沈設し、前記貫通孔から基礎杭を打設し、その頭部に浮き上がり防止用の掛止体を設けてケーソンを固定した後、該ケーソン内の水を排水して、その中にコンクリートを打設することを特徴とする水中基礎の構築方法。
【請求項２】
ケーソンの側壁には、仮締切壁体が設置されたことを特徴とする請求項１に記載の水中基礎の構築方法。
【請求項３】
ケーソンの内側には、貫通孔を通して精度良く杭を打設するための導枠が備え付けられたことを特徴とする請求項１または２に記載の水中基礎の構築方法。
【請求項４】
現場へのケーソンの運搬は、浮遊曳航、浮きドックによる運搬またはクレーン船による吊り運搬であることを特徴とする請求項１〜３のいずれかに記載の水中基礎の構築方法。
【発明の詳細な説明】
【技術分野】
【０００１】
本発明は水中基礎の構築工法に関するものである。
【背景技術】
【０００２】
河川内などの水中に構築される橋脚などの水中基礎は、図９に示すような一重締切りや二重締切りなどの仮締切り工法２０で構築されるのが一般的であった。しかし、この工法は規模が大掛かりになるため、コストや工期の面で工事全体に占める割合が大きくなるという問題があった。そのため図１０に示すように、水中に打設された杭頭部にフーチングなどの型枠を設置して水中コンクリートを打設して一体化する、いわゆるベルタイプの基礎工法２１が用いられていた。また、その他の水中基礎の構築工法としては、例えば特開２０００−２９０９３６号公報の発明がある。
【特許文献１】特開２０００−２９０９３６号公報
【発明の開示】
【発明が解決しようとする課題】
【０００３】
しかし、上記のベルタイプの基礎工法も部材が大型化するため、大型起重機船が必要となったり、基礎構造上最も重要な杭頭接合部の施工を水中で行うため、構造上の信頼性が低下したりするという問題があった。
【０００４】
本発明は上記のような問題に鑑みてなされたものであり、その目的は、大掛かりな仮設工を必要とせずに、簡単な方法によって高品質の水中基礎を構築することができる工法を提供することである。
【課題を解決するための手段】
【０００５】
本発明の水中基礎の構築方法は、基礎杭を貫通させる貫通孔を底面に備えたケーソンを水底地盤に沈設し、前記貫通孔から基礎杭を打設し、その頭部に浮き上がり防止用の掛止体を設けてケーソンを固定した後、該ケーソン内の水を排水して、その中にコンクリートを打設することを特徴とする。またケーソンの側壁には、仮締切壁体が設置されたことを含む。またケーソンの内側には、貫通孔を通して精度良く杭を打設するための導枠が備え付けられたことを含む。また現場へのケーソンの運搬は、浮遊曳航、浮きドックによる運搬またはクレーン船による吊り運搬であることを含むものである。
【発明の効果】
【０００６】
大規模な仮設工を用いずにクレーン付台船や起重機船などの小さな設備で水中基礎を簡単に構築できる。また構造上重要な箇所の構築は気中施工が可能であるため、品質の向上を図ることができる。またケーソンに予め仮締切壁体を取り付けているため、工期・工費の嵩む一重・二重締切り工などの仮締切り工が不要になる。また塩害環境下に晒されるフーチングの外殻部分を陸上のヤードで製作するため、狭隘な仮締切り工内における施工に比べて、高い品質を確保しやすい。また水面上およびケーソン内のより深い位置に上下２段以上の切梁を兼ねた杭打設用導枠を配置したため、基礎杭を簡単かつ精度良く打設することが可能になる。また打設に使用する作業船には、大型の杭打船は必要なく、比較的小型の起重機船またはクレーン付台船にて、バイブロハンマや油圧ハンマによる杭打設が可能になる。また水底に沈設されたケーソンなどは、構築物基礎を構築するための作業空間を確保するものとなる。
【発明を実施するための最良の形態】
【０００７】
以下、本発明の水中基礎の構築工法について説明する。この水中基礎は、図１および図２に示すような、水中基礎を構築する埋設型枠であるケーソンを使用して構築するものである。
【０００８】
このケーソン１は、上面が開口した平面方形のプレキャストコンクリート製の函体であり、底面に基礎杭を貫通させる９個の貫通孔２が設けられている。この貫通孔２の内周面には、下側に向かって漸次内側に絞られた止水パッキン３が設けられている。また貫通孔２の上面には、ケーソン１を浮遊曳航する際の浸水を防ぐ止水蓋４が取外自在に被せられている。
【０００９】
このケーソン１の側壁には仮締切壁体５が設けられ、該仮締切壁体５はケーソン１を水底に据え付けた際、水面上に所定の長さ以上突設するような高さを備えている。この仮締切壁体５およびケーソン１からなる空間内には上下２段以上の杭打設用導枠８が取り付けられており、これにより貫通孔２を通して基礎杭を精度良く打設することができる。この杭打設用導枠８は２本１組の仮設梁６と、この仮設梁６の間に設けられた横架材７とにより形成されている。
【００１０】
次に、このケーソン１を使用した水中基礎の構築工法について説明する。この工法においては、ケーソン１を建設現場まで浮遊曳航する。はじめに、上記のケーソン１を予め陸上の製作ヤードにおいて製作する。そして、図３に示すように、この製作ヤードで製作されたケーソン１を、貫通孔２に止水蓋４を被せて水中に浮かせ、建設現場まで曳航する。このケーソン１を沈設する水底は予め掘削された地盤９となっている。
【００１１】
次に、図４に示すように、建設現場に浮遊曳航したケーソン１内に注水して、水底地盤９上に沈設させる。次に、図５に示すように、上下２段の杭打設用導枠８に基礎杭１０を建込み、貫通孔２を通して所定の深度まで打設する。この際、杭頭部１１を一定の長さ底面から突出するように合計９本の基礎杭１０を貫通孔２から水底地盤９に打設する。
【００１２】
次に、図６に示すように、ケーソン１と仮締切壁体５とにおける仮設梁６を撤去するとともに、底面から突出した杭頭部１１に掛止体１２を設けて、ケーソン１を基礎杭１０に固定し、その浮き上がりを防止する。このとき止水パッキン３が基礎杭１０の周面に密着するため、貫通孔２から浸水することがない。
【００１３】
次に、図７に示すように、仮締切壁体５の内側に切梁１３を格子状に架設した後、ケーソン１内の水を排水して、地上と同じドライな作業空間１４を形成する。そして、図８に示すように、このドライな作業空間１４において、ケーソン１にコンクリート１５を打設してフーチング１６を構築するとともに、該フーチング１６の上に橋脚１７を構築する。よって水中基礎１８などの構築物基礎を陸上と同じドライな作業空間１４において構築することができる。
【図面の簡単な説明】
【００１４】
【図１】（１）はケーソンの断面図、（２）は貫通孔の断面図である。
【図２】（１）は仮締切壁体の平面図、（２）は図１のＡ−Ａ線断面図である。
【図３】ケーソンを浮遊曳航する断面図である。
【図４】ケーソンを水底地盤上に沈設した断面図である。
【図５】ケーソンの貫通孔から基礎杭を打設する断面図である。
【図６】（１）は杭頭部に掛止体を設けた断面図、（２）は貫通孔の断面図である。
【図７】ケーソン内から排水した断面図である。
【図８】ケーソン内にコンクリートを打設して構築した水中基礎の断面図である。
【図９】従来の水中基礎の構築工法を示す断面図である。
【図１０】従来の水中基礎（ベルタイプ基礎）の構築工法を示す断面図である。
【符号の説明】
【００１５】
１  ケーソン
２  貫通孔
３  止水パッキン
４  止水蓋
５  仮締切壁体
６  切梁
７  横架材
８  杭打設用導枠
９  地盤
１０  基礎杭
１１  杭頭部
１２  掛止体
１３  切梁
１４  作業空間
１５  コンクリート
１６  フーチング
１７  橋脚
１８  水中基礎
２０  仮締切工法
２１  ベルタイプの基礎工法
【図１】
2005330718.tif 000003
【図２】
2005330718.tif 000004
【図３】
2005330718.tif 000005
【図４】
2005330718.tif 000006
【図５】
2005330718.tif 000007
【図６】
2005330718.tif 000008
【図７】
2005330718.tif 000009
【図８】
2005330718.tif 000010
【図９】
2005330718.tif 000011
【図１０】
2005330718.tif 000012